(57)【要約】【課題】検出部で生じる騒音を抑制することができる画像形成装置を提供する。【解決手段】画像形成装置１は、画像形成部５と、搬送部４と、給紙部３と、制御部８とを備える。給紙部３は、用紙Ｓを搬送部４に供給する給紙カセット３１を有する。制御部８は、画像形成部５、搬送部４、及び給紙部３を制御する。給紙カセット３１は、複数の用紙Ｓを収容し得るカセット本体３１１と、カセット本体３１１の底面に対して傾斜する傾斜面部３１２と、傾斜面部３１２に載置された用紙Ｓを検出する用紙検出部３１４とを有する。用紙検出部３１４は、用紙Ｓに接触するセンサー切片３２ａと、センサー切片３２ａを傾動可能に支持する回転軸３２ｂと、センサー切片３２ａによって遮光される光センサー３２ｃとを有する。光センサー３２ｃは、カセット本体３１１に収容された用紙Ｓが有ることを示す用紙検出信号を制御部８に出力する。【選択図】図３
2018144918.tif 000002
【特許請求の範囲】
【請求項１】
用紙に画像を形成する画像形成部と、
前記画像形成部に向かって前記用紙を搬送する搬送部と、
前記用紙を前記搬送部に供給する給紙カセットを有する給紙部と、
前記画像形成部、前記搬送部、及び前記給紙部を制御する制御部と
を備え、
前記給紙カセットは、複数の用紙を収容し得るカセット本体と、前記カセット本体の底面に対して傾斜する傾斜面部と、前記傾斜面部に載置された前記用紙を検出する用紙検出部とを有し、
前記用紙検出部は、前記傾斜面部に載置された前記用紙に接触して傾動するセンサー切片と、前記センサー切片の傾動によって遮光される光センサーとを有し、
前記光センサーは、前記カセット本体に収容された前記用紙が有ることを示す用紙検出信号を前記制御部に出力する、画像形成装置。
【請求項２】
前記給紙カセットは、
前記カセット本体に収容される前記用紙の先端側の下面に当接し、前記用紙の先端側を前記傾斜面部から持ち上げた状態に支持する支持部と、
前記支持部に支持された前記用紙の先端側の下面に接触する取り出しローラーと、
前記傾斜面部から突出して前記用紙の下面に接触する補助ローラーと
を更に有し、
前記給紙カセットは、前記取り出しローラーと前記補助ローラーとを回転させて、前記カセット本体に収容された用紙の最下方の用紙の先端部を前記傾斜面部に供給し、前記搬送部に向かって前記用紙を供給する、請求項１に記載の画像形成装置。
【請求項３】
前記傾斜面部は、前記用紙の給紙方向の上流側よりも前記用紙の給紙方向の下流側が低くなるように傾斜する、請求項２に記載の画像形成装置。
【請求項４】
前記給紙カセットは、
前記傾斜面部に供給された前記用紙を前記搬送部に供給する給紙ローラーと、
前記給紙ローラーと対向する位置に配置されて、前記給紙ローラーと逆方向に回転する重層防止ローラーと
を更に有する、請求項１から請求項３のいずれか１項に記載の画像形成装置。
【請求項５】
複数の用紙を収容し得るカセット本体と、
前記カセット本体の底面に対して傾斜する傾斜面部と、
前記傾斜面部に載置された前記用紙を検出する用紙検出部と
を有し、
前記用紙検出部は、前記傾斜面部に載置された前記用紙に接触して傾動するセンサー切片と、前記センサー切片の傾動によって遮光される光センサーとを有し、
前記光センサーは、前記カセット本体に収容された前記用紙が有ることを示す用紙検出信号を出力する、給紙カセット。
【発明の詳細な説明】
【技術分野】
【０００１】
本発明は、画像形成装置、及び給紙カセットに関する。
【背景技術】
【０００２】
特許文献１に記載の画像形成装置は、筐体と、給紙部と、画像形成部とを備える。筐体は、給紙部と、画像形成部とを収容する。給紙部は、給紙カセットを有する。給紙カセットは、筐体の下部に着脱可能に配置される。給紙カセットには、複数の用紙が載置され得る。給紙部は、画像形成部に向かって用紙を供給する。画像形成部は、用紙に画像を形成する。給紙部は、給紙カセット内の用紙を検出する検出部を更に有する。検出部は、給紙カセットから供給される用紙に接触して回転する回転体を含む。特許文献１に記載の画像形成装置では、回転体の回転を示すパルス信号に基づいて、給紙カセット内の用紙の有無が判定される。
【先行技術文献】
【特許文献】
【０００３】
【特許文献１】特開平９−３０１５７２号公報
【発明の概要】
【発明が解決しようとする課題】
【０００４】
しかしながら、特許文献１に記載の画像形成装置では、検出部の回転体が回転する際に騒音が生じるおそれがある。検出部で生じる騒音は、例えば、回転体を軸支する回転軸に塗布された潤滑剤の経時劣化、及び給紙カセットに載置される記録媒体（用紙）の重量の増加に応じて大きくなる傾向にある。
【０００５】
本発明は上記課題に鑑みてなされたものであり、その目的は、検出部で生じる騒音を抑制することができる画像形成装置、及び給紙カセットを提供することにある。
【課題を解決するための手段】
【０００６】
本発明の画像形成装置は、画像形成部と、搬送部と、給紙部と、制御部とを備える。前記画像形成部は、用紙に画像を形成する。前記搬送部は、前記画像形成部に向かって前記用紙を搬送する前記給紙部は、前記用紙を前記搬送部に供給する給紙カセットを有する。前記制御部は、前記画像形成部、前記搬送部、及び前記給紙部を制御する。前記給紙カセットは、カセット本体と、傾斜面部と、用紙検出部とを有する。前記カセット本体は、複数の用紙を収容し得る。前記傾斜面部は、前記カセット本体の底面に対して傾斜する。前記用紙検出部は、前記傾斜面部に載置された前記用紙を検出する。前記用紙検出部は、センサー切片と、光センサーとを有する。前記センサー切片は、前記傾斜面部に載置された用紙に接触して傾動する。前記光センサーは、前記センサー切片の傾動によって遮光される。前記光センサーは、前記カセット本体に収容された前記用紙が有ることを示す用紙検出信号を前記制御部に出力する。
【０００７】
本発明の給紙カセットは、カセット本体と、傾斜面部と、用紙検出部とを有する。前記カセット本体は、複数の用紙を収容し得る。前記傾斜面部は、前記カセット本体の底面に対して傾斜する。前記用紙検出部は、前記傾斜面部に載置された前記用紙を検出する。前記用紙検出部は、センサー切片と、光センサーとを有する。前記センサー切片は、前記傾斜面部に載置された用紙に接触して傾動する。前記光センサーは、前記センサー切片の傾動によって遮光される。前記光センサーは、前記カセット本体に収容された前記用紙が有ることを示す用紙検出信号を出力する。
【発明の効果】
【０００８】
本発明の画像形成装置、及び給紙カセットによれば、検出部で生じる騒音を抑制することができる。
【図面の簡単な説明】
【０００９】
【図１】本発明の実施形態に係る画像形成装置の構成を模式的に示す図である。
【図２】本発明の実施形態に係る給紙カセットの構成を模式的に示す図である。
【図３】本発明の実施形態に係る給紙カセットを模式的に示す図である。
【図４】本発明の実施形態に係る給紙カセットの動作を示す図である。
【図５】本発明の実施形態に係る給紙カセットの動作を示す図である。
【図６】制御部による給紙制御を示すフローチャートである。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
図１は、本実施形態に係る画像形成装置１の構成を模式的に示す図である。図１に示すように、本実施形態の画像形成装置１は、複合機である。複合機は、例えば、複写機能、印刷機能、及びファクシミリ機能のうち少なくとも２つの機能を有する。なお、画像形成装置１は、複写機、印刷機、又はファクシミリ機であってもよい。
【００１２】
画像形成装置１は、筐体２と、給紙部３と、搬送部４と、画像形成部５と、定着部６と、排出部７と、制御部８とを備える。筐体２は、略直方体形の箱状に形成される。筐体２は、給紙部３と、搬送部４と、画像形成部５と、定着部６と、排出部７と、制御部８とを内部に収容する。
【００１３】
給紙部３は、給紙カセット３１を有する。給紙カセット３１は、給紙装置の一例である。給紙カセット３１は、筐体２の下部に配置される。給紙カセット３１は、筐体２の下部から着脱可能である。給紙カセット３１には、複数の用紙Ｓが載置され得る。本実施形態において、給紙カセット３１は、給紙カセット３１の下部から搬送部４に向かって用紙Ｓを供給する。
【００１４】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。用紙Ｓは、搬送部４によって搬送される。用紙Ｓは、所定の搬送経路に沿って、給紙部３から排出部７に搬送される。
【００１５】
画像形成部５は、複数色のトナーを用いて用紙Ｓに画像を形成する。画像形成部５は、複数の画像形成ユニット５１ｙ、５１ｃ、５１ｍ、５１ｋと、中間転写部５６とを有する。中間転写部５６は、中間転写ベルト５７と、２次転写ローラー５８とを有する。
【００１６】
画像形成ユニット５１ｙは、イエロー色のトナーに対応する。画像形成ユニット５１ｃは、シアン色のトナーに対応する。画像形成ユニット５１ｍは、マゼンタ色のトナーに対応する。画像形成ユニット５１ｋは、ブラック色のトナーに対応する。
【００１７】
画像形成ユニット５１ｙは、像担持体５２と、帯電部５３と、現像部５４と、１次転写ローラー５５とを有する。帯電部５３は、像担持体５２の外周面を所定電位に帯電させる。帯電された像担持体５２の外周面には、レーザー光が照射される。この結果、像担持体５２の外周面に、画像データに基づく静電潜像が形成される。現像部５４は、像担持体５２の外周面にトナーを供給する。この結果、静電潜像がトナー像として現像される。像担持体５２と１次転写ローラー５５とは、１次転写ニップを形成し、１次転写ニップを通過する中間転写ベルト５７にトナー像を転写する。
【００１８】
各画像形成ユニット５１ｃ、５１ｍ、５１ｋは、画像形成ユニット５１ｙと同様に構成されるため、ここでの説明は省略する。中間転写ベルト５７と２次転写ローラー５８とは、２次転写ニップを形成し、２次転写ニップを通過する用紙Ｓにトナー像を転写する。
【００１９】
定着部６は、転写されたトナー像を用紙Ｓに定着させる。定着部６は、用紙Ｓを加熱する加熱ローラー６１と、加熱ローラー６１に圧接する圧接ローラー６２とを有する。加熱ローラー６１と圧接ローラー６２とは、定着ニップを形成し、定着ニップを通過する用紙Ｓのトナー像を用紙Ｓに定着させる。排出部７は、トナー像が定着された用紙Ｓを筐体２の外部に排出する。
【００２０】
制御部８は、例えば、プロセッサーと、記憶部とを有する。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、記憶部に記憶されたコンピュータープログラムに基づいて、給紙部３と、搬送部４と、画像形成部５と、定着部６と、排出部７とを制御する。
【００２１】
次に、図２を参照して、給紙カセット３１の構成について説明する。図２は、給紙カセット３１の構成を模式的に示す図である。給紙カセット３１は、カセット本体３１１と、傾斜面部３１２と、規制部３１３と、用紙検出部３１４と、重層検出部３１５と、取り出しローラー３１６と、補助ローラー３１７と、給紙ローラー３１８と、重層防止ローラー３１９と、爪部３２０とを有する。
【００２２】
カセット本体３１１は、矩形の箱状に形成される。カセット本体３１１は、用紙Ｓを給紙する給紙方向Ｔの下流側（図示右側）の端部に壁面部３１ａを有する。以下、用紙Ｓを給紙する給紙方向Ｔを「用紙給紙方向Ｔ」と記載する。
【００２３】
傾斜面部３１２は、カセット本体３１１の内部に配置される。傾斜面部３１２は、傾斜面３１２ａを含む。傾斜面３１２ａは、用紙給紙方向Ｔの上流側が用紙給紙方向Ｔの下流側よりも低くなるように傾斜する。傾斜面３１２ａは、凹部３１２ｂを含む。凹部３１２ｂは、傾斜面３１２ａの用紙給紙方向Ｔにおける中央部に形成される。凹部３１２ｂは、用紙給紙方向Ｔと直交する方向に沿って延びる。
【００２４】
規制部３１３は、用紙給紙方向Ｔに沿って、傾斜面部３１２上を移動可能である。また、規制部３１３は、移動範囲内の任意の位置に保持される。本実施形態において、規制部３１３は、略Ｌ字の板状に形成される。規制部３１３は、カセット本体３１１に収容された用紙Ｓの後端に当接する。規制部３１３は、壁面部３１ａとの間で、カセット本体３１１に収容された用紙Ｓの移動を規制する。
【００２５】
用紙検出部３１４は、傾斜面部３１２の凹部３１２ｂよりも用紙給紙方向Ｔの上流側において、用紙Ｓの有無を検出する。用紙検出部３１４は、カセット本体３１１に用紙Ｓが収容されていない場合に、用紙検出部３１４の一部が傾斜面３１２ａから上方に突出するように配置される。用紙検出部３１４は、例えば、用紙Ｓに接触する接触式である。用紙検出部３１４は、用紙Ｓに接触した際に、カセット本体３１１に用紙Ｓが収容されていることを示す用紙検出信号を制御部８に出力する。
【００２６】
用紙検出部３１４は、例えば、センサー切片３２ａと、回転軸３２ｂと、光センサー３２ｃとを有する。センサー切片３２ａは、長尺矩形状に形成される。回転軸３２ｂは、センサー切片３２ａを傾動可能に支持する。センサー切片３２ａは、所定の付勢部によって付勢される。所定の付勢部は、センサー切片３２ａの用紙給紙方向Ｔの下流側の端部が傾斜面部３１２よりも上方に突出するように付勢する。光センサー３２ｃは、例えば、発光部と受光部とを有する。発光部と受光部とは、センサー切片３２ａの用紙給紙方向Ｔの上流側の端部を挟むように配置される。発光部は、受光部に向かって光を射出する。発光部から射出される光は、センサー切片３２ａが用紙Ｓと接触して傾動した際に、受光部によって受光される。受光部は、発光部から射出された光を受光した際に、用紙検出信号を制御部８に出力する。
【００２７】
重層検出部３１５は、傾斜面部３１２の凹部３１２ｂよりも用紙給紙方向Ｔの下流側において、用紙Ｓの有無を検出する。重層検出部３１５は、用紙Ｓの先端部が傾斜面３１２ａ上に供給されていない場合に、重層検出部３１５の一部が傾斜面３１２ａから上方に突出するように配置される。重層検出部３１５は、用紙Ｓに接触した際に、用紙Ｓに接触することを示す重層検出信号を制御部８に出力する。重層検出部３１５は、センサー切片３３ａと、回転軸３３ｂと、光センサー３３ｃとを有する。センサー切片３３ａ、回転軸３３ｂ、及び光センサー３３ｃは、用紙検出部３１４のセンサー切片３２ａ、回転軸３２ｂ、及び光センサー３２ｃと同様に構成されるため、ここでの説明は省略する。
【００２８】
取り出しローラー３１６は、カセット本体３１１の壁面部３１ａに配置される。取り出しローラー３１６は、カセット本体３１１に収容された用紙Ｓの先端側の下面に接触する。取り出しローラー３１６が、用紙Ｓの下面に接した状態で回転すると、用紙Ｓの先端部が傾斜面３１２ａ上に供給される。
【００２９】
爪部３２０は、取り出しローラー３１６の上方に配置される。爪部３２０は、本発明の支持部の一例である。爪部３２０は、カセット本体３１１に収容される用紙Ｓの先端側の下面に当接する。爪部３２０は、用紙Ｓの先端側を傾斜面部３１２から上方に持ち上げた状態に支持する。換言すると、爪部３２０は、カセット本体３１１に収容された用紙Ｓの給紙方向の先端側を傾斜面３１２ａから離間させる。
【００３０】
補助ローラー３１７は、補助ローラー３１７の一部が傾斜面３１２ａから上方に突出するように配置される。詳しくは、補助ローラー３１７は、凹部３１ｂよりも用紙給紙方向Ｔの下流側において、凹部３１２ｂの近傍に配置される。補助ローラー３１７は、取り出しローラー３１６とともに回転して、用紙Ｓの先端部を傾斜面３１２ａ上に供給する。なお、本実施形態において、補助ローラー３１７は、用紙Ｓの先端部が傾斜面３１２ａに供給された後に、用紙Ｓを給紙ローラー３１８に向かって搬送する。
【００３１】
給紙ローラー３１８は、カセット本体３１１の壁面部３１ａに配置される。給紙ローラー３１８は、傾斜面３１２ａの下流側端部において、取り出しローラー３１６よりも下方に配置される。用紙Ｓの先端部が傾斜面３１２ａ上に供給された後に、給紙ローラー３１８が回転することによって、用紙Ｓは、図１を参照して説明した搬送部４に供給される。
【００３２】
重層防止ローラー３１９は、カセット本体３１１の壁面部３１ａに配置される。重層防止ローラー３１９は、取り出しローラー３１６よりも下方、かつ、給紙ローラー３１８よりも上方に配置される。重層防止ローラー３１９は、給紙ローラー３１８と逆方向に回転する。重層防止ローラー３１９は、複数の用紙Ｓの先端部が傾斜面３１２ａに供給された場合に、最下方の用紙Ｓよりも上方に位置する用紙Ｓに接触する。重層防止ローラー３１９が給紙ローラー３１８と逆方向に回転することによって、複数の用紙Ｓのうち、最下方の用紙Ｓのみが給紙ローラー３１８によって搬送部４に供給される。
【００３３】
次に、図１及び図３を参照して、制御部８による用紙Ｓの検出制御について説明する。図３は、給紙カセット３１を模式的に示す図である。詳しくは、図３は、給紙カセット３１が複数の用紙Ｓを収容した状態を示す。
【００３４】
図３に示すように、カセット本体３１１に収容された複数の用紙Ｓは、傾斜面部３１２、取り出しローラー３１６、及び爪部３２０に跨って支持される。カセット本体３１１に収容された複数の用紙Ｓは、規制部３１３によって、傾斜面部３１２に沿った用紙給紙方向Ｔの上流側への移動が規制される。
【００３５】
また、カセット本体３１１に収容された複数の用紙Ｓのうち、最下方の用紙Ｓの下面が用紙検出部３１４に接触する。この結果、用紙検出部３１４のセンサー切片３２ａが傾動し、光センサー３２ｃから制御部８に用紙検出信号が出力される。制御部８は、用紙検出信号に基づいて、カセット本体３１１に用紙Ｓが収容されていると判定する。本実施形態の画像形成装置１では、センサー切片３２ａが傾動することによって、給紙カセット３１に収容された用紙Ｓの有無が判定される。センサー切片３２ａの傾動によって用紙Ｓの有無を判定する場合は、回転体の回転によって用紙Ｓの有無を判定する場合に比べて、騒音を抑制することができる。
【００３６】
次に、図１、図４及び図５を参照して、給紙カセット３１の動作について説明する。図４及び図５は、給紙カセット３１の動作を示す図である。詳しくは、図４は、複数の用紙Ｓのうちの最下方の用紙Ｓの先端部が傾斜面部３１２に供給される状態を示す。また、図５は、用紙Ｓが給紙ローラー３１８によって供給される状態を示す。
【００３７】
図１、図４及び図５に示すように、給紙カセット３１は、複数の用紙Ｓのうち、最下方の用紙Ｓを搬送部４に向かって供給する。詳しくは、給紙カセット３１は、カセット本体３１１に収容された複数の用紙Ｓのうち、最下方の用紙Ｓの先端部を傾斜面部３１２に供給し、先端部が傾斜面部３１２に供給された用紙Ｓを搬送部４に向かって供給する。
【００３８】
給紙カセット３１は、図４に示す矢印Ｔ１の方向に、取り出しローラー３１６及び補助ローラー３１７を回転させて、用紙Ｓの先端部を傾斜面部３１２に供給する。詳しくは、取り出しローラー３１６及び補助ローラー３１７の回転にともなって、最下方の用紙Ｓの先端部が他の用紙Ｓから分離される。分離された用紙Ｓの先端部は、用紙Ｓの自重によって、傾斜面部３１２に供給される。なお、補助ローラー３１７の回転にともなって、用紙Ｓが撓む可能性がある。用紙Ｓに発生した撓みは、凹部３１２ｂに逃がされる。
【００３９】
また、給紙カセット３１は、図５に示す矢印Ｔ２の方向に、補助ローラー３１７、給紙ローラー３１８、及び重層防止ローラー３１９を回転させて、先端部が傾斜面部３１２に供給された用紙Ｓを搬送部４に向かって供給する。
【００４０】
次に、図１、及び図４から図６を参照して、制御部８による供給制御について説明する。図６は、制御部８による供給制御を示すフローチャートである。図６に示すように、制御部８は、ステップＳ１において、用紙検出部３１４からの用紙検出信号に基づいて、給紙カセット３１内に用紙Ｓが有るか否かを判定する。制御部８は、給紙カセット３１内に用紙Ｓが無いと判定した場合に（ステップＳ１のＮｏ）、ステップＳ２において、例えば、所定の報知部を制御して、給紙カセット３１内に用紙Ｓが無い旨をユーザーに報知して、ステップＳ１に戻る。
【００４１】
制御部８は、給紙カセット３１内に用紙Ｓが有ると判定した後に（ステップＳ１のＹｅｓ）、ステップＳ３において、重層検出部３１５からの重層検出信号に基づいて、先端部が傾斜面部３１２に供給された用紙Ｓが有るか否かを判定する。制御部８は、先端部が傾斜面部３１２に供給された用紙Ｓが無い場合に（ステップＳ３のＮｏ）、ステップＳ４において、取り出しローラー３１６及び補助ローラー３１７を回転させて、ステップＳ３に戻る。
【００４２】
制御部８は、先端部が傾斜面部３１２に供給された用紙Ｓが有る場合に（ステップＳ３のＹｅｓ）、ステップＳ５において、補助ローラー３１７、給紙ローラー３１８、及び重層防止ローラー３１９を回転させる。この結果、先端部が傾斜面部３１２に供給された用紙Ｓが搬送部４に向かって供給される。
【００４３】
以上、図１から図６を参照して、本発明の実施形態に係る画像形成装置１について説明した。但し、本発明は、上記の実施形態に限られるものではなく、その要旨を逸脱しない範囲で種々の態様において実施することが可能である。
【００４４】
例えば、本発明の実施形態では、給紙カセット３１は、給紙カセット３１の下部から搬送部４に向かって用紙Ｓを供給していたが、本発明はこれに限定されない。給紙カセット３１は、搬送部４に向かって用紙Ｓを供給すればよい。給紙カセット３１は、例えば、給紙カセット３１の上部から搬送部４に向かって用紙Ｓを供給してもよい。
【００４５】
また、本発明の実施形態では、用紙Ｓの先端部が傾斜面部３１２に供給された後に補助ローラー３１７を回転していたが、本発明はこれに限定されない。補助ローラー３１７は、用紙Ｓの先端部が傾斜面部３１２に供給された後に停止され、先端部が傾斜面部３１２に供給された用紙Ｓは、給紙ローラー３１８によって搬送部４に供給されればよい。
【００４６】
図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【産業上の利用可能性】
【００４７】
本発明は、給紙カセットを有する給紙部を備えた画像形成装置に有用である。
【符号の説明】
【００４８】
１        画像形成装置
３        給紙部
４        搬送部
５        画像形成部
３１      給紙カセット
３１１    カセット本体
３１２    傾斜面部
３１４    用紙検出部
３１８    給紙ローラー
Ｓ        用紙
【図１】
2018144918.tif 000003
【図２】
2018144918.tif 000004
【図３】
2018144918.tif 000005
【図４】
2018144918.tif 000006
【図５】
2018144918.tif 000007
【図６】
2018144918.tif 000008